(57)【要約】【課題】  本発明は、治療用レーザーファイバーのカッティングにおいて、ファイバーホルダーから、ファイバーを外すことなく、切断長さを最小限にすることが可能で、切断面が均一あり、切断に掛かる作業時間が大幅に短縮した安価なレーザーファイバーカッターを提供するものである。【解決手段】  レーザーファイバーを切断するカッターには丸刃を設け、任意の寸法でファイバー芯を位置決め穴に差し込み数回転させるだけで、誰もが容易に切断できるようにしたものである。【選択図】図２
2008119815.tif 000002
【特許請求の範囲】
【請求項１】
レーザーファイバーをファイバーホルダーに装着させたままで、先端を位置決め穴に挿入し、丸刃のカッターの加圧により、３６０度以上回転させ、レーザーファイバー芯の表面被覆及び、ファイバー芯に切断溝を付け、切断するレーザーファイバーカッター。
【請求項２】
レーザーファイバーの切断材飛散をなくす為、レーザーファイバーカッターベースにレーザーファイバー切断材収納パイプを設け、切断材が観察できるような透明とした請求項１に記載のレーザーファイバーカッター。
【請求項３】
丸刃カッターは、スライド軸に固定され、下方向にばね圧で常時加圧されており、レーザーファイバー芯をセットする際にスライド軸を手動で、上方向に移動させ、丸刃カッターに隠れているレーザーファイバー芯位置決め穴を出し、レーザーファイバー芯を挿入し、切断する請求項２に記載のレーザーファイバーカッター。
【請求項４】
レーザーファイバー芯と接触する丸刃カッターの刃先部を中心より、ずらして位置設定することで、刃の食い込み力を増し、丸刃による刃先の接触部の変化で、耐摩耗性と耐久性を確立した請求項３に記載のレーザーファイバーカッター。
【発明の詳細な説明】
【技術分野】
【０００１】  本発明は、ＮｄＹＡＧレーザー用ファイバーのカッターに関し、ファーバーホルダーからファーバーを抜かないで、任意の長さで切断することで、最短の切断時間が可能となり、しかもファイバー外側にある被覆を傷つけることなく、ファーバー芯の切断面も均一にさせ、ＮｄＹＡＧ装置に使用される簡単構造のレーザーファイバーカッターに関するものである。
【背景技術】
【０００２】  従来、各種の病気や事故に遭った患者に対しては、ＮｄＹＡＧレーザーが、歯、眼、耳鼻咽喉等の治療に利用され、使用頻度によってファーバーの先端が丸くなり、先の焦点が定まらずレーザーのボケが生じ、一旦治療を中止して、ファイバーの先端部を折り、加工して使用していた。歯科治療を例に上げると、歯茎の切開などの出血中にファーバーの先端を切断しなければなる場合もあるが、従来のカッターでは切断に時間を要する為、出血している患者の大きな負担となり、治療をしている医者や看護士の精神的負担も多かった。【０００３】  ＮｄＹＡＧレーザーとは、ネオジウム・ヤグ・レーザーで、固定レーザーと云われ、ヤグのＹはイットリビウム、Ａはアルミニウム、Ｇはガーネットの略であり、様々なレーザー治療やレーザー外科装置などに使用されているものである。【０００４】  そこで、市販されているレーザー用ファイバーカッター装置は各種提案されているが、これらの装置は、金属性パイプにファイバー芯を差し込み、細いピンセットで折り曲げ切断する装置、セラミック製のニッパーによって切断する方法などもあるが、何れも切断面の均一さが得られず、切断面末端の再加工を残している。更には精度を要する治療には、再加工が必要不可欠であり、切断に高度な技術と時間を要するものである。また、ファイバー芯の長さ方向の両端及び、３箇所を押え、円形人工ダイヤをファイバー芯の下部に接触させ、走らせる装置などは高価であり、ファーバーホルダーからファーバーを外しての切断作業となるので、ファーバーの再セットを必要としなければならない為、これには時間を要するものである。これらは実施例の中で、従来の技術として、それぞれの図を参照しながら説明をする。
【発明の開示】
【発明が解決しようとする課題】
【０００５】  従来の簡易ファイバーカッターは、金属パイプにファーバーを挿入し、ピンセットにより、折り曲げてカットするもので、切断面が不良な場合は数回に渡り、この作業を繰り返している。この場合、ファイバー自体が高価なものであり、材質がガラス製である為、危険であり、カット面は不均一になり易いものである。また、切断メーカーに依頼しても時間を要し、工賃の面でも安価とは云えないものである。また、レーザー発生器にファイバーを接続する場合や、カット後の焦点確認の予備テスト等には、時間を要し、特に緊急時には重要問題点として掲げられていた。更にカット作業等は、熟練した医師でなくとも看護士等が使用できる装置が希望であり、ファイバーホルダーにファイバーを固定したままで、切断できるものが必要であった。また、ファイバーは、高価である為、切断長さを最小に抑えることも課題であった。
【課題を解決する為の手段】
【０００６】  上記の問題点を解決する為に、本発明は切断長さを極力小さくし、ファイバーをファイバーホルダーから外すことなく切断し、この切断に掛かる時間を秒単位の短時間にし、丸刃のカッターを備えることで、ファイバー芯の被覆面を傷つけることなく、切断面を均一にし、切断されたファイバーが飛散することなく収納でき、誰もが容易に切断可能としたことを特徴としたものである。
【発明の効果】
【０００７】  本発明によれば、ファイバー芯の表面に丸刃により、均一な切り溝加工を行うことで、その後の折り曲げや、切断面の良好なレーザー用ファイバーを得ることができるものである。また、本カッターは、加工技術に対し、熟練者を要せず、最小切断長さを約１ミリとし、作業時間も１０秒程度の短時間で済ますことができる為、治療等の中断時間を極端に短縮できるものである。
【０００８】  本カッターの作業性や操作は、熟練者を必要とせず、あらかじめ切断長さを設定し、レーザーファイバー芯をレーザーファイバー芯位置決め穴に挿入し、カッター本体を数回、回すだけ切断可能となるものである。回す回数に関しては、カッターの加圧を変化させることで増減し、最小回転数は１回にすることも可能であり、コスト削減と品質向上に貢献できるものである。
【０００９】  また、丸刃カッターは、切断刃先の位置がその都度変化する為、摩耗度が低く、耐久性に優れているものである
【発明を実施するための最良の形態】
【００１０】  本発明の実施例と従来の実施例をそれぞれの図を参照に説明をする。
【実施例】
【００１１】  治療用レーザーファイバーは、レーザーファイバー芯１１を覆っているレーザーファイバーシリコン被覆材１７の一部分をストリッパーなどにより取り除き、レーザーファイバー芯１１の先端部を任意の長さで出し、それをファイバーホルダー１２に挿入固定し、使用するものである。【００１２】  本発明は、レーザーファイバーをレーザーファイバーホルダー１２に装着したままで、レーザーファイバー芯１１を短時間で、切断するカッターである。図１は、その外観図である。レーザーファイバーカッターベース２に丸刃カッタースライド軸４に固定された丸刃カッター３を備え、丸刃カッター加圧調整ネジ６の上下により、丸刃カッター加圧ばね７が、加圧減圧調整され、レーザーファイバー芯１１に丸刃カッター３の刃先が食い込む圧力となるものである。【００１３】  その刃圧力において、レーザーファイバー芯１１の外周面に施されている被覆は数ミクロンであるが、それを全周に渡り、確実に切断し、更にはその先にあるグラスファイバーに切溝を入れるような圧力が好ましい。しかし、圧力を上げ過ぎると全周に切溝が入らないまま切断される可能性があるので、過剰な加圧は避けるべきである。【００１４】  また、加圧の位置は、図２に示すように丸刃カッタースライドばね７が、丸刃カッタースライド軸４上部の丸刃カッター３側、約１／３の位置にすることが、丸刃カッタースライド軸４の摺動を容易にするものである。従って、その摺動がレーザーファイバー切断の均一性にも関わってくるものである。【００１５】  丸刃カッタースライド軸４の固定とそれに連結する丸刃カッター３は、上記と同様に摺動を必要とする為、数ミクロンの摺動隙間を作り固定させるものである。丸刃カッタースライド軸４のスライド寸法は数ミリとし、レーザーファイバー芯位置決め穴１６が、見え隠れするような寸法が好ましいものである。【００１６】  丸刃カッター３の摺動面は凹凸のないものとし、丸刃カッター３がレーザーファイバー芯１１の外周に均一に当たるようにすることも重要である。【００１７】  上記を満足させることにより、レーザーファイバー芯１１の切断面が均一であり、同時にそれを覆っている被覆面の切断も良好のものとなる。この被覆面に傷が生じた場合は、レーザー光の漏れとなるので、治療には使用できなくなるものである。本発明では、このレーザー光の漏れが１００％ない状態であるので、非常に良好と云えるものである。【００１８】  次にレーザーファイバーカッターベース２と連結させたレーザーファイバー切断材収納パイプ８を説明する。【００１９】  切断されたレーザーファイバー切断材１３は、レーザーファイバーチャック１０から排出されるが飛散状態にある為、図２のように切断後は、レーザーファイバー切断材収納パイプ８の中に入るようにしたものである。このレーザーファイバー切断材収納パイプ８は透明とし、レーザーファイバー芯１１がどのように切断されているか見えるようにし、末端にはレーザーファイバー切断材飛散防止栓９を設け、一定量が貯まったらこれを外し、切断材を廃棄するものである。従来のカッターのほとんどは、飛散していたようであり、レーザーファイバー芯１１の材質がグラスファイバーである為、数ミリの切断材でも飛散は、口に入ったり、皮膚に刺さったりと危険と云えるものである。【００２０】  図３は、レーザーファイバー芯１１を切断する際の動作を示したものである。（Ａ）は、丸刃カッタースライド軸４の頭部を指で上方向に引き、丸刃カッター３により隠れているレーザーファイバー芯位置決め穴１６を見えるようにし、そこにレーザーファイバー芯１１をレーザーファイバーホルダー１２の先端の根元までしっかり挿入する。この場合、事前にレーザーファイバーホルダー１２の先端で、レーザーファイバー芯１１の切断長さを決定しておくものである。レーザーファイバーホルダー１２の先端直前が切断される位置である。この場合、レーザーファイバー芯１１とレーザーファイバー芯位置決め穴１６は、一直線にしておくことが、切断面の均一性にも良方向である。【００２１】  次に丸刃カッタースライド軸４の頭部をゆっくり戻し、図３の（Ｂ）のように丸刃カッター３の刃先が、レーザーファイバー芯１１に当たることを確認する。レーザーファイバー切断材収納パイプ８を中心にレーザーファイバーカッター本体１を時計と反対方向に約２〜３回ことで、切断が可能となるものである。時計と同一方向で切断も可能であるが、なるべく早く刃先をレーザーファイバー芯１１に食い込ませる対策として、丸刃の接触部分を中心から外し、位置関係を設定したものである。【００２２】  回転数を少なくする場合、丸刃カッター３に加圧しなければならないが、加え過ぎると刃先が、全周に行き渡らないで、切断される可能性があり、レーザーファイバー芯１１やその外周被覆面の切断面にバラツキが生じる恐れがあるので、無理な加圧はしないようにすることが望ましい。【００２３】  次に従来の実施例をそれぞれの図を参照に説明する。【００２４】  図５は、市販のファイバーカット方法であるが、レーザーファイバーシリコン被覆材１７をストリッパー等で取り除き、レーザーファイバー芯１１を金属案内管２１に押し込み、一部分がファイバーホルダー２２の外に出るように設定し、金属案内管２１の末端部分のレーザーファイバー芯１１をピンセット２３で折り曲げながら、切断するものである。断面は、不均一である。【００２５】  図６は、某社のファイバーカット方法であるが、市販と同様にレーザーファイバーシリコン被覆材１７を取り除き、露出したレーザーファイバー芯１１をセラミック製のニッパー２４でカットする方法である。精度を必要としない場合に用いるが、切断面に変形やバリ等が残り、精度が必要な場合は、再度処理の研磨等をしなければならないものである。【００２６】  図７に示すファイバーカット装置は、マグネット式カッター本体２７とファイバーホルダー２２のふたつの組合せからなり、レーザーファイバーシリコン被覆材１７をストリッパー等で取り除き、ファイバーホルダー２２にレーザーファイバー芯１１をセットし、下部のマグネットコアー２６より、レーザーファイバー芯１１の両端をマグネットコアー押さえＡ２８ａにより押さえ、マグネット式カッター本体２７にセットする。更にレーザーファイバー芯１１のカット部両端を変形防止用のマグネットコアー押さえＢ２８ｂで押さえ、レーザーファイバー芯１１の底部をそろばん珠状人���ダイヤカッター２５が動作し、カットする装置である。この装置は非常に高価であり、レーザーファイバー芯１１の外径が変われば、ファイバーホルダー２２も交換する必要があった為、レーザーファイバー芯１１の種類を考慮して使用しなければならなかった。【００２７】  この装置は、レーザーファイバー芯１１に対して、Ｖ型カッターを当て、ノッチ方法で切断する装置である為、特に細いレーザーファイバー芯１１には適しているが、高価な割に一部のレーザーファイバーのカット面は、良好と言えないものもある。【００２８】  図８は、人工ダイヤ針３３で、レーザーファイバー芯１１を切断する装置である。第一段階として、レーザーファイバーシリコン被覆材１７をストリッパー等で取り除き、レーザーファイバー芯１１の切断部分を出し、チャックパイプ２９に挿入し、レーザーファイバーシリコン被覆材１７をチャック３０で固定する。レーザーファイバー芯１１を先頭にチャック３０をリング３１に挿入し、位置決めボールプランジャーＡ３４ａと位置決めボールプランジャーＢ３４ｂにより、固定される位置まで密着させる。これにより、レーザーファイバーは、切断位置で設定され、ファーバー台３２と人工ダイヤ針３３で、切断される装置である。これはチャックパイプ２９を中心にリング３１が回転し、レーザーファイバー芯１１に切断溝が付き、切断されるものである。【００２９】  切断面も均一で良好であるが治療の際、レーザーファーバーホルダー１２からレーザーファイバーを外し、切断作業をしなければならない為、短時間の作業には限度があった。更には、切断後はレーザーファイバーホルダー１２に再設定しなければならない為、出血中などの時間がない場合には、対応の難しさがあった。【００３０】  図４の（Ａ）は、本発明の丸刃カッター３を片刃カッター１８にした場合である。これにおいては、刃先の切断部分が、同一箇所となる為、刃先の摩耗が早く、耐久性がないものである。また、（Ｂ）はペン型ファイバーカッター１９であるが、レーザーファイバー芯１１の切断部分を刃先で押し、切断するものであり、刃先が当たる部分と反対部分に関しては、被覆を含め、切断面のバラツキが生じるものである。再加工の必要性も要求されるものである。【００３１】  本発明のレーザーファイバーカッターは、従来カッターの問題点を全て解決したものであり、治療の短縮と大幅なリスク減少などにおいて、役目を果たすものである。
【図面の簡単な説明】
【００３２】
【図１】  レーザーファイバーカッターの外観図である。
【図２】  図１の断面図である。
【図３】  （Ａ）は、レーザーファイバーを切断する前の動作図であり、（Ｂ）は、レーザーファイバーを切断する時点の動作図である。
【図４】  （Ａ）は、片刃カッターによる外観図であり、（Ｂ）は、市販のペン型ファーバーカッターの外観図である。
【図５】  案内パイプとピンセットを使用したファイバーカッターの断面図ある。
【図６】  ニッパーを使用したファイバーカットの断面図である。
【図７】  マグネットコアーを使用したファイバーカット装置の断面図である。
【図８】  人工ダイヤ針を使用したレーザー用ファイバーカッティング装置の断面図である。
【符号の説明】
１、  レーザーファイバーカッター本体
２、  レーザーファイバーカッターベース
３、  丸刃カッター
４、  丸刃カッタースライド軸
５、  丸刃カッター固定ナット
６、  丸刃カッター加圧調整ネジ
７、  丸刃カッター加圧ばね
８、  レーザーファイバー切断材収納パイプ
９、  レーザーファイバー切断材飛散防止栓
１０、  レーザーファイバーチャック
１１、  レーザーファイバー芯
１２、  レーザーファイバーホルダー
１３、  レーザーファーバー切断材
１４、  安全カバー
１５、  安全カバー固定ネジ
１６、  レーザーファイバー芯位置決め穴
１７、  レーザーファイバーシリコン被覆材
１８、  片刃カッター
１９、  ペン型ファイバーカッター
２０、  ペン型ファイバーカッター切断部
２１、  案内パイプ
２２、  ファイバーホルダー
２３、  ピンセット
２４、  ニッパー
２５、  そろばん珠状人工ダイヤカッター
２６、  マグネットコアー
２７、  マグネット式カッター本体
２８ａ、マグネットコアー押さえＡ
２８ｂ、マグネットコアー押さえＢ
２９、  チャックパイプ
３０、  チャック
３１、  リング
３２、  ファイバー台
３３、  人工ダイヤ針
３４ａ、位置決めボールプランジャーＡ
３４ｂ、位置決めボールプランジャーＢ
【図１】
2008119815.tif 000003
【図２】
2008119815.tif 000004
【図３】
2008119815.tif 000005
【図４】
2008119815.tif 000006
【図５】
2008119815.tif 000007
【図６】
2008119815.tif 000008
【図７】
2008119815.tif 000009
【図８】
2008119815.tif 000010